(57)【要約】【課題】使い勝手がよくかつコスト面でも有利な端末装置を提供する。【解決手段】センタが提供するサービスを利用する場合に、サービスに対応するサービス識別子及び端末装置のタイプ、性能を表す端末装置識別子を、前記センタへ送信する送信装置を備える端末装置。【選択図】図１
2008211805.tif 000002
【特許請求の範囲】
【請求項１】
端末装置であって、
センタが提供するサービスを利用する場合に、前記サービスに対応するサービス識別子及び前記端末装置のタイプ又は性能の少なくとも１つを表す端末装置識別子を、前記センタへ送信する送信装置を備える端末装置。
【発明の詳細な説明】
【技術分野】
【０００１】
本発明は端末装置に関する。
【背景技術】
【０００２】
センタから提供されるサービスを端末装置が利用する方法は例えば、テレホンバンキングの形態のものが公知である。
【０００３】
亦、データネットワークを介してデータの送／受信するための送／受信ユニットを有する移動無線装置として構成された端末装置も公知である。
【発明の開示】
【発明が解決しようとする課題】
【０００４】
本発明は使い勝手がよくコスト面でも有利な端末装置を提供することである。
【課題を解決するための手段】
【０００５】
この課題は本発明によれば、センタが提供するサービスを利用する場合に、サービスに対応するサービス識別子及び端末装置のタイプ又は性能の少なくとも１つを表す端末装置識別子を、センタへ送信する送信装置を備える端末装置によって解決される。
【０００６】
本発明によれば、様々な形態が可能であり、それぞれに利点が得られる。
【０００７】
著しく複雑なサービスの利用が、たんに制限された入力手段のみを有する端末装置により可能になることである。ここで、そのような複雑なサービスの利用には、選択すべきサービスに対応付けられたサービス識別子を、端末装置の操作ユニットにて入力しさえすればよいのである。ここで、サービス識別子のそのような入力を、極めて簡単に端末装置のテンキーを用いて行い得る。
【０００８】
車両にて本発明の端末装置を使用した場合さらなる利点が得られる、それというのは、運転者は、自分の望むサービスの作動化のためたんにサービス識別子を端末装置の操作ユニットにて入力しさえすればよく、それにより、道路交通に対して自分の注意力を大して損われず、その結果そのような装置の操作の際の交通上の安全性が高められるからである。
【０００９】
なお、さらなる奏される利点とは、端末装置にて所属にサービスの作動化のため端末装置の操作ユニットにてただサービス識別子を入力するだけで、作動化すべきサービスについての何等の情報、パラメータも記銘する必要はないことであり、それにより端末装置にてメモリロケーションが節減される。端末装置は、センタから提供されるサービスに無関係に実現され得る、それというのは、センタにより生成されるサービスデータが相応のサービスを要求する端末装置の可能性及び性能規模に適合化されるからである。そのようにして、端末装置にて本発明の方法を実現するのに余分のコストを要求することがなく、その結果従来の端末装置を使用でき、端末装置に対して、作製上、材料上及びスペース上の付加的コストが掛からない。
【００１０】
有利には、センタから提供されたサービスに対するアクセス権のチェックが簡単に行われ得る。ここでアクセス権は亦特に迅速にチェックできる、それというのは、ユーザ識別子が既に作動化データを用いてセンタに伝送されているからである。
【００１１】
さらに有利には、第１の端末装置から、リクエスト信号が端末装置識別子及び／又はユーザ識別子と共に第１のデータネットワークを介してセンタへ伝送されるようにし、センタから、受信されたリクエスト信号に依存して、サービス識別信号が第１の端末装置へ、第１のデータネットワークを介して伝送されるようにし、ここで、前記サービス識別信号は、第１の端末装置により利用可能なセンタのサービスのサービス識別子を含むものである。そのようにして、端末装置のユーザは、センタの利用可能なサービス及びサービス識別子に関して概括的知識が得られ、前記のサービス識別子を、ユーザは、事後的選択過程のため場合により端末装置内に記憶することもでき、それにより、端末装置の明瞭性及び操作性を高め得る。端末装置により利用可能なサービスの、センタからユーザに供給され得るサービス識別子及び場合により端末装置内でなされる記憶に基づき、ユーザは、その端末装置により利用可能なサービス自体をもはや記銘する必要がない。
【００１２】
なお、さらに、有利には作動化データを用いて、第１の端末装置の状態及び／又は場所位置に関しての付加データをセンタへ伝送し、サービスデータは、付加データに依存してセンタにより生成されるようにし、それにより、第１の端末装置の状態及び／又は場所位置が、選択されたサービスの実現の際考慮されるようにしたのである。そのようにして、サービスのコンフィギュレーション構成に必要なデータの一部が、自動的に端末装置により生成され、センタへ転送され得る。それにより、第１の端末装置の状態及び／又は場所位置に依存するデータは、相応に所望されたサービスの作動化の際考慮され得るようになる。
【００１３】
なおまたさらに有利には、サービス識別子、端末装置識別子及び／又はユーザ識別子を単一の共通の識別子にまとめるようにしたのである。そのようにして、所望のサービスの選択及び端末装置の可能性及び性能規模に適合化されたサービスデータを簡単化でき、時間節減のなされるよう、センタにて単一の過程にまとめ得る。
【００１４】
さらにまた有利には第２の端末装置により、第１の端末装置により利用可能な、センタから提供されるサービスの調整セッティングのためのパラメータを以て、サービスコンフィギュレーション構成データは、第２のデータネットワークを介してセンタへ、伝送されるようにし、サービスコンフィギュレーション構成データにより、第１の端末装置の端末装置識別子及び／又はユーザ識別子を、センタへ伝送し、サービスコンフィギュレーション構成データからサービスデータが導出され、そして、端末装置識別子及び／又はユーザ識別子によりセンタ内に記憶され、１つのサービス識別子がサービスデータに対応付けられ、該サービスデータを以てセンタ内に記憶され、そして、第２のデータネットワークを介して第２の端末装置へ、伝送されるようにしたのである。そのようにして、入力可能性の制限された第１の端末装置にて、ユーザコンフィギュレーション構成化されたサービスを、操作ユニットでの所属のサービス識別子の簡単な入力により作動化でき、ここで、当該のサービスのコンフィギュレーション構成を先行して実施する必要はない。寧ろ、そのようなサービスのコンフィギュレーション構成のため、その入力手段、可能性の点で制限されていない第２の端末装置を使用でき、而もサービス自体は、その入力手段、可能性の点制限されている第１の端末装置にて利用され得る。そのようにして、第１端末装置の機能性が高められ、ここで、第１端末装置の製作の際余分のコストを要しない。
【００１５】
車両にて第１端末装置の使用の場合、同じく、さらなる利点が得られる。ここで、運転者は、発進前に、第２の端末装置を介してセンタにてサービスをコンフィギュレーション構成でき、当該のサービスを、走行中たんに第１端末装置にてサービス識別子を入力するだけで作動化できる。走行中のコストを要する煩細なコンフィギュレーション構成が省かれ、その入力手段可能性の点で制限されている第１の端末装置を、車両内で当該のサービスの作動化及び利用のため携帯できる。従って、運転者の注意力は、サービスのコンフィギュレーション構成によりそこなわれることはなく、また、車両内の制限されたスペース事情は、それの入力手段の制限によりスペースを節減する第１端末装置を使用することにより考慮される。
【００１６】
さらなる実施形態によればサービスコンフィギュレーション構成データにより、第１の端末装置の出力手段可能性及び／又は所定の出力形態についての情報内容が伝送されるようにしたのである。そのようにして、サービスデータは、第１端末装置による相応の１つのサービスの選択の際、出力手段可能性へ、及び／又は、種々の所定の出力形態、例えば、音声出力ないし第１端末装置のディスプレイにてデータ指示の形態でのユーザの出力趣向に適合され得る。
【００１７】
さらなる実施形態によれば、第１及び第２データネットワークに対して、１つの共通のデータネットワークを使用するのである。そのようにして、サービスコンフィギュレーション構成データ、サービスデータ、作動化データ及びリクエスト信号の伝送のため、データネットワークの使用の場合、高いフレキシビリティが可能になる。更に、本発明の方法を、極めてわずかな所要のデータネットワークでも実現し得る。
【００１８】
なお更なる実施形態によれば、第１端末装置に伝送されたサービスデータにより、第２端末装置にて設定された目標場所位置及び第１端末装置により付加データと共にセンタへ伝送された第１端末装置の実際の場所位置に依存して、第１端末装置の実際の場所位置から目標場所位置までの交通状況の監視を第１端末装置にて実現し、前記目標場所位置は、サービスコンフィギュレーション構成データと共にセンタへ伝送されるものである。そのようにして、殊に、車両にて第１の端末装置を使用する場合、簡単な手法で交通システムの監視を実現でき、この交通システムの監視は、第１端末装置により受信された交通情報の最大量のもとで、ユーザないし運転者からの注意力の要求度は最小となる。
【００１９】
更なる本発明の発展形態によれば、操作ユニットにて少なくとも１つのテキストが例えば、アルファニューメリックなキーボードを介して入力可能であり、前記の少なくとも１つのテキストは、１つのサービス識別子に対応付け可能であり、少なくとも１つのテキストは、メモリ内に格納可能であり、当該動作モードの調整セッティングの後出力ユニットにて出力可能である。そのようにして、サービス識別子をユーザにより一層良好に識別できるようになり、その結果ユーザにより、端末装置にて、一層より迅速で、且つ注意力を要しない、サービスの選択及び作動化が可能になり、このことにより、端末装置の相応の操作の際、運転者の無視可能な注意散漫があっても交通上の安全が大して損われなくなり、サービスの所望の作動化が達成されるのである。
【００２０】
なおさらなる発展形態によれば、メモリ内に記憶されたすべてのテキストが、当該動作モードにて、出力ユニットにて出力可能であり、出力可能なテキストのうちの１つが操作ユニットにて選択可能であり、１つのテキストの選択の後、送／受信装置は、作動化データをサービス識別子及び端末装置を識別する端末装置識別子と共に、サービス識別子に対応付けられたサービスの選択のためセンタへ送信するように構成されている。そのようにして、端末装置にて１つのサービスの選択の際ユーザに対する明瞭性が高められ、その結果一層より迅速な選択が可能になり、ユーザに対する注意力の要求度が一層少なくなり、これにより特に道路交通において交通上の安全性に好ましい影響が及ぼされる。
【００２１】
なおまたさらなる発展形態によれば、操作ユニットにて少なくとも１つのキーが設けられており、この少なくとも１つのキーには、１つのサービス識別子が対応付け可能であり、前記の少なくとも１つのキーの作動後、送／受信装置は、作動化データを所属のサービス識別子と共に、送信するように構成されているのである。そのようにして、端末装置のキー、例えば組込電話付きのカーラジオのステーションキーへのサービス識別子の対応付けが可能になる。そのようなキーへの所定のサービス識別子の対応付けにより、就中著しく頻繁に利用されるサービスの選択が容易化される。
【実施例】
【００２２】
図１中、１はサービス提供者により作動、使用されるセンタを表す。制御部９５を有し、該制御部９５にはメモリ１１０及び送／受信装置１０５が接続されている。送／受信装置１０５には、送／受信アンテナ１０６が接続されている。センタ１は、付加的に、さらなるサービス又はデータ提供者に接続され得る。
【００２３】
図１中、５は、例えば、集積化無線電話付きのカーラジオとして構成された第１端末装置を示す。第１端末装置５は、亦、例えば、移動無線装置、移動電話、コードレス電話、ハンディ移動無線装置、無線モジュール付きのノートブックとして構成されてもよい。亦、有線の電話装置として構成してもよい。第１端末装置５は、制御部８５を有し、該制御部８５にはキー７５付きの操作ユニット５５、送／受信装置６０、出力ユニット６５，メモリ７０及び例えばＧＰＳ受信機（Ｇｌｏｂａｌ  Ｐｏｓｉｔｉｏｎｉｎｇ  Ｓｙｓｔｅｍ）として構成された、位置測定データに対する受信機８０が接続されている。操作ユニット５５は、キー７５の代りに、又は、そのほかに付加的に音声入力部を有し得る。更に、第１端末装置５の送／受信装置６０は送／受信アンテナ６１に接続されている。センタ１と第１端末装置５との間のデータ交換は、第１のデータネットワーク１０−これは例えば無線電話網として構成され得る−を介して、行われ得、その結果、センタ１と第１端末装置５との間で、データが第１端末装置５の送／受信アンテナ６１及びセンタ１の送／受信アンテナ１０６を介して交換され得る。但し、第１データネットワーク１０は亦、従来の有線の電話網又は任意のデータネットワークであってもよい。
【００２４】
図１中４５は、例えばパーソナルコンピュータとして構成された第２の端末装置を表し、この第２端末装置は、ラップトップ、利便簡易−電話端末装置等として構成されてもよい。第２端末装置４５は、制御部９０を有し、該制御部９０には、送／受信装置１００、メモリ１１５及び入／出力ユニット１２０が接続されている。更に、第２端末装置４５の送／受信装置１００は、送／受信アンテナ１０１と接続され得る。センタ１の送／受信装置１０５と、第２端末装置４５の送／受信装置１００との間でデータ交換が第２のデータネットワーク５０を介して可能である。第２のデータネットワーク５０は、同様に、無線電話網、有線電話網又は任意のデータネットワークとして構成されてもよい。無線電話網として第２のデータネットワーク５０を構成する場合、センタ１と第２端末装置４５との間でセンタ１の送／受信アンテナ１０６及び第２端末装置４５の送／受信アンテナ１０１を介してデータ交換を行い得る。但し、図１に示す実施例では、第２データネットワーク５０は、有線電話網として構成されており、この有線電話網には、センタ１の送／受信装置１０５のみならず、第２端子装置４５の送／受信装置１００も接続されている。更に次のように設計することもできる、即ち、センタ１と第１端末装置５との間、及び第２端末装置４５とセンタ１との間のデータ交換を単一のデータネットワークを用いて実現設計することもできる。
【００２５】
第２端末装置５のメモリ７０，センタ１のメモリ１１０、第２端末装置４５のメモリ１１５は、不揮発性ライト／リードメモリとして構成され得る。第１端末装置５の制御部５、第２端末装置４５の制御部９０及びセンタ１の制御部９５には夫々、マイクロプロセッサを使用できる。第１端末装置５の出力ユニット６５及び第２端末装置４５の入／出力ユニット１２０は、夫々、ディスプレイとして構成された指示装置及び／又はデータの音響的再生のための少なくとも１つのスピーカを有し得る。図１の選択実施例では第１端末装置５の操作ユニット５５は、５つのキー７５及び場合により、さらなる操作素子、例えば、有利には、アルファニューメリックなテンキーボード及び／又はカーソルキーを有する。
【００２６】
ポータブル及び移動可能な端末装置は、屡々、制限された入力手法を有する。更に、わずかなデータ伝送レートが存在し、及び／又は通信時間が高価である。それでも、センタ１から提供されるサービスをそのような端末装置により利用し度いという要望がある。就中、複雑なサービスのコンフィギュレーション構成、ないしスタートは屡々、ユーザ依存のパラメータ例えば、ユーザ優位的指定ないし優位性のようなパラメータの設定を必要とする。多くのユーザは、入力手段、手法の限られた端末装置のほかに入力手法、手段の一層より良好なさらなる端末装置、例えば、パソコンを有する。それでも、場合により複雑なユーザによりコンフィギュレーション構成されたサービスの作動化を、入力手法の限られた端末装置により行おうとするのである。ここで、ユーザによるそのようなサービスのコンフィギュレーション構成のため、一層より良好な入力手段を備えたさらなる端末装置を使用し得る。
【００２７】
図１の実施例では、第１の端末装置５は、入力手段の制限された端末装置である。実施例ではパソコンとして構成され得る第２の端末装置４５は、これに対し、比較的良好な入力手段を備えたさらなる端末装置である。要するに、ユーザ−コンフィギュレーション構成−サービスの作動化を、入力手段の制限された端末装置５で行おうとするものである。そのような作動化のため、第１の端末装置５にサービス識別子１５の入力部が設けられている。これに対して、サービスのコンフィギュレーション構成は、第２の端末装置４５を用いて行われ、この第２の端末装置４５は、そのために必要な入力手段を、入／出力ユニット１２０にて備えている。これに対し、第１端末装置５の操作ユニット５５はたんに、制限された入力手段のみを有する。
【００２８】
図３には、第２端末装置４５の制御部９０の機能動作に対するシーケンスチャートを示す。プログラムポイント２００では、例えばＩＳＤＮ−ネットワーク（Ｉｎｔｅｇｒａｔｅｄ  Ｓｅｒｖｉｃｅｓ  Ｄａｔａ  Ｎｅｔｗｏｒｋ）として構成された第２のデータネットワーク５０を介して、第２端末装置４５の制御部９０により、それの送／受信ユニット１００を用いてセンタ１の送／受信ユニット１０５との接続形成が要求される。接続形成が成功した場合、第２端末装置４５の制御部９０は、ユーザ側で、入／出力ユニット１２０にて入力された命令に基づき、第２端末装置４５の送／受信ユニット１００をして、サービスコンフィギュレーション構成要求信号をセンタ１へ送信せしめ、このサービスコンフィギュレーション構成要求信号を用いて、センタ１から、利用可能なサービス及び所属のサービスオプションについてのオッファが要求される。
【００２９】
プログラムポイント２０５では、所定の時間内に、センタ１により、第２端末装置４５の送／受信ユニット１００にて要求されたサービスオッファ及び所属のサービスオプションと共に確認コンファメーション信号が受信されたか否かがチェックされる。ＹＥＳの場合は、プログラムポイント２１５へ分岐する。ＮＯの場合はプログラムポイント２１０へ分岐する。
【００３０】
プログラムポイント２１０では、第２端末装置４５の制御部９０は、それの送／受信ユニット１００をしてセンタ１との接続を中断させる。それにひきつづいて、プログラムポイント２００へ戻り分岐する。但し、プログラムポイント２１０の後プログラム部分から離脱するようにしてもよい。
【００３１】
プログラムポイント２１５において、入／出力ユニット１２０にて、センタ１により受信されたサービスオッファの指示及び／又は音響的再生が、所属のサービスオプションと共に行われる。ユーザは、入／出力ユニット１２０にて複数サービスのうちの１つを選択でき、そして、パラメータの入力により、所属のサービスオプションを自分の希望に従って調整セッティングできる。而して、例えば、サービスとして交通装置の監視を選択でき、パラメータとしてスタート及び目標場所位置を、入／出力ユニット１２０にて入力できる。更に、選択パラメータを調整セッティングできる。例えば何キロメータ前で事前に交通メッセージを考慮すべきかを調整セッティングできる。更に、ユーザにより、入／出力ユニット１２０にて、第１端末装置５の出力手段及び／又は出力形態について情報内容、データを、入力ないし設定でき、ここで、出力形態をユーザの出力趣好に従って調整セッティングできる。然して、例えば、第１端末装置５にてメッセージ出力に対する音声を選択できる。次いでサービスの選択及びサービスオプションの調整セッティングを第２端末装置４５の送／出力ユニット１００により、サービスコンフィギュレーション構成データを含むサービスコンフィギュレーション構成信号の形態で、センタ１へ送信し得る。ここで、サービスコンフィギュレーション構成データにより、第１端末装置５の端末装置識別子２０及び／又はユーザ識別子２５もセンタ１へ伝送される。端末装置識別子２０及び／又はユーザ識別子２５は、ユーザにより、同様に、入／出力ユニット１２０にて、サービスの選択及びサービスオプションに対するパラメータと共に入力されるべきである。端末装置識別子２０は、第１端末装置５のタイプないし性能規模範囲を表し、ユーザ識別子２５は、ユーザアイデンティフィケーション標識であり、このユーザアイデンティフィケーション標識を用いて、センタ１から提供される１つ、又は複数のサービスへの或１人のユーザのアクセス権限をチェックでき、例えば、第１端末装置５を電話として構成する場合、例えばカーラジオにおける電話として、移動電話として、コードレス電話として構成の場合当該標識は第１端末装置の電話番号に相応する。図３には示されないさらなるステップにて、センタ１により、第２端末装置４５の送／受信ユニット１００にて、確認要求信号を受信できる。ここで、ユーザは、入／出力ユニット１２０にて、受信されたサービスコンフィギュレーション信号に依存して、センタ１により、なされたサービス選択及びサービスオプションの調整セッティングを確認できる。交通装置の監視のサービスの選択事例では、ユーザは、入／出力ユニット１２０にて、例えば、代替選択的走行ルート−これは、センタ１により提案されたものであり、場合によりセンタ１により提案されたさらなる代替選択ルートである−を確認できる。更に、センタ１は、第２端末装置４５に補正要求信号を送信でき、この補正要求信号により、ユーザを介して、入／出力ユニット１２０にて先になされた誤った入力を補正せしめる。而して、交通システム監視の選択された事例では、誤記、誤り書込み又は目標場所が一義的に明瞭でない場合、第２端末装置４５へのあらためての問い合せを臆測される目標場所位置に対する提案と共に提出するとよい。更に、次のように設計することもできる。即ち、第２端末装置４５の送／受信ユニット１００が、センタ１から中断信号を受信し、この中断信号により、第２端末装置４５のユーザは、第１端末装置５により利用されるセンタ１のサービスに対して、入／出力ユニット１２０を介して、支払い過程を例えば、借方記帳、引落し依頼の形態で開始させられ、当該の支払い過程はセンタ１に伝達される。
【００３２】
プログラムポイント２２０にて、第２端末装置４５の制御部９０は、次のことをチェックする、即ち、第２端末装置４５の送／受信装置１００がさらなる所定時間内でサービス識別子と共に確認信号を受信したか否かをチェックする。ＹＥＳの場合は、プログラムポイント２２５へ分岐し、ＮＯの場合はプログラムポイント２１０へ戻り分岐する。
【００３３】
プログラムポイント２２５では、サービス識別子１５が入／出力ユニット１２０にて出力される。換言すれば、指示及び／又は音響的に再生され、更に、サービス識別子を、第２端末装置４５のメモリ１１５内に格納できる。ここでサービス識別子１５は、ユーザにより第２端末装置４５にてコンフィギュレーション構成されたセンタ１におけるサービスに対応付けられる。その結果そのようにコンフィギュレーション構成されたサービスを、サービス識別子１５を用いて作動化し得る。第２端末装置４５のメモリ１１５内へのサービス識別子１５の記憶により、ユーザは、コンフィギュレーション構成されたサービスに対応付けられたサービス識別子１５を記銘する必要がなく、必要な場合、入／出力ユニット１２０にて、入力命令により当該の入／出力ユニット１２０にて表示及び／又は音響的再生させればよい。プログラムポイント２２５の後プログラム部分を離脱する。
【００３４】
図４には、第１端末装置５の制御部８５の動作法のシーケンスチャートを示す。プログラムポイント３００にて、第１端末装置５の制御部８５は、操作ユニット８５におけるユーザの入力に基づき、第１の端末装置５の送／受信ユニット６０をして、要求信号を第１データネットワーク１０を介してセンタ１へ伝送せしめる。ここで、第１データネットワークは、例えば、ＧＳＭ−ネットワーク（Ｇｌｏｂａｌ  Ｓｙｓｔｅｍ  Ｆｏｒ  Ｍｏｂｉｌｅ  Ｃｏｍｍｕｎｉｃａｔｉｏｎｓ）として構成され得る。要求信号により、付加的に、端末装置識別子２０及び／又はユーザ識別子２５を、センタ１へ伝送でき、ここで、端末装置識別子２０及びユーザ識別子２５は、第１端末装置５のメモリ７０内に格納され、及び／又は操作ユニット５５にて入力され得、そして第１端末装置５の制御部８５により、第１端末装置５の送／受信ユニット６０へ転送され、リクエスト信号ないし要求信号を用いてセンタ１へ送信されるようになる。
【００３５】
プログラムポイント３０５にて、第１端末装置５の制御ユニット８５は、第１端末装置５の送／受信ユニット６０が所定の時間内にセンタ１からサービス識別信号を受信したか否かをチェックし、ここで、サービス識別信号は、第１端末装置５により利用可能な、センタ１のサービスのサービス識別子を含む。ＹＥＳの場合は、プログラムポイント３１０へ分岐し、ＮＯの場合は、プログラムポイント３００へ戻り分岐するか、又は、プログラム部分を離脱する。
【００３６】
プログラムポイント３１０にて、第１端末装置５の制御部８５は、受信されたサービス識別子１５の記憶を第１端末装置５のメモリ７０内に行わせ得る。第１端末装置５の制御部８５は、さらに、出力ユニット６５を用いてサービス識別子１５の指示及び／又は音響的再生を行わせ得る。
【００３７】
それまでのプログラムシーケンスに無関係に、プログラムをプログラムポイント３１０において次のようにしてもスタートできる、即ち、ユーザが、第１端末装置５の或１つの動作モードにて、操作ユニット５５にて或１つのコード語を、操作ユニット５５にてテンキーボードを用いて入力するのである。更に、ユーザは、プログラムポイント３１０にて操作ユニット５５にても、出力ユニット６５にて選択メニュの再生のための命令を入力でき、ここで、選択メニュは、第１の端末装置５のメモリ７０からロードされたサービス識別子１５を選択のため提供する。操作ユニット５５にて、ユーザは、相応の入力により、例えばカーソルキーを用いてメニュから１つのサービス識別子１５を選択できる。キー７５には、そのつど、ユーザにより、１つのサービス識別子１５を対応付け得る。相応のキー７５の作動により、それに対応付けられたサービスが選択される。次いで、第１端末装置５の制御部８５は、第１端末装置５の送／受信ユニット６０をして、作動化データ３０を含む作動化信号をセンタ１へ送信せしめる。ここで、図２ａに示すように、作動化データ３０は、選択されたサービス識別子１５、端末装置識別子２５及び場合によりさらなる付加データ３５を含む。図２ｂに示すように、サービス識別子１５及び端末装置識別子２０を１つの共通の識別子４０にまとめ得る。図２ｃに示すように、サービス識別子１５及び端末装置識別子２０並びにユーザ識別子２５は、１つの共通の識別子４０にまとめられ得る。２つの識別子を、１つの共通の識別子４０にまとめるのに他の任意な手法も可能である。既述のように、ユーザ識別子は、第１端末装置５の電話番号に相応し得、端末装置識別子２０は、第１端末装置５のタイプ及び性能規模範囲を表し、共通の識別子４０は、例えば、センタ１を作動するサービス提供者と取り極めた顧客番号であり得、ここで、サービス提供者は、センタ１にて、第１端末装置５により伝送された顧客番号を用いて次のことを識別し得る、即ち、ユーザによりコンフィギュレーション構成されたどのサービスを作動すべきであるか、そして、どの端末装置にサービスにより情報を供給すべきかを識別し得る。サービス提供者のセンタ１は、サービス識別子１５、端末装置識別子２０及び／又はユーザ識別子２５に基づき、作動化データ３９の受信によりユーザにより選択されたサービスをスタートするよう作動化され、当該のユーザにより選択されたサービスは場合により、センタ１にて、第２の端末装置４５を用いて先にコンフィギュレーション構成されたものである。端末装置識別子２０を用いて、センタ１は、次のことについての情報を受取る、即ち、サービス識別子１５を用いて選択されたサービスをどの端末装置に送信しなければならないか、そして、どのような周辺条件を、当該の端末装置のタイプ及び性能規模により遵守すべきかについての情報を受取る。ユーザ識別子２５を用いて、ユーザは、センタ１にて、サービス提供者に対して、同一人物であることを証明し、サービス提供者は、ユーザの正当な権限をチェックできる。
【００３８】
プログラムポイント３１５では、次のことがチェックされる、即ち、センタ１により、第１端末装置５の送／受信装置６０にて、サービスデータがさらなる所定の時間内で受信されたか否かがチェックされる。ＹＥＳの場合は、プログアムポイント３２０へ分岐し，ＮＯの場合はプログラム部分を離脱する。
【００３９】
プログラムポイント３２０では、第１端末装置５の制御部８５は、センタ１のサービスデータと共に伝送された情報の再生を、出力ユニット６５にて行わせ、この出力ユニット６５は、光学的及び／又は音響的なものであり得る。場合により、第１端末装置５の制御部８５は、サービスデータと共に伝送された情報の記憶をも亦、第１端末装置５のメモリ７０内に行わせる。それにひきつづいてプログアム部分を離脱する。
【００４０】
作動化データ３０を用いて、付加データ３５を、図２のａ、ｂ、ｃに示すように、第１端末装置５の実際の状態及び／又は場所位置に関して、センタ１へ伝送できる。センタ１にてサービスデータの生成の際付加データを考慮でき、その結果第１端末装置５の状態及び／又は場所位置を第１端末装置５にて選択されたサービスの実現の際考慮するものである。それにより、第１端末装置５の時間的に可変のデータを、所望のサービスの作動化の際考慮し得る。このことは、交通システムの監視のサービスの選択実施例では次のようにして実現し得る、即ち、例えばＧＰＳ−受信機（Ｇｌｏｂａｌ  Ｐｏｓｉｔｉｏｎｉｎｇ  Ｓｙｓｔｅｍ）として構成された、位置測定データに対する受信機８０が、受信された場所位置信号を用いて第１端末装置５の実際の位置ポジションを求め、場所位置信号から導出された場所位置データを付加データ３５を用いてセンタ１に伝送するのである。場所位置データはここで、第１端末装置５の実際の場所位置を表す。それにより、第１端末装置５の時間的に変化する状態及び／又は場所位置を、所望のサービスの作動化の際考慮でき、その結果選択実施例において既に走行した区間が、交通状況の監視の際もはや考慮されなくなり、ここで、当該の事例において、第１端末装置５は、例えば、車両内で携帯される。
【００４１】
要するに、付加データ３５を用いて、サービスのコンフィギュレーション構成に必要なデータの一部を、自動的に第１端末装置５により生成し、センタ１へ伝送し得るようにしてもよい。
【００４２】
図５には、センタ１の制御部９５の動作に対するシーケンスチャートを示す。プログラムポイント４００において、センタ１の制御部９５は、次のことをチェックする、即ち、所定の時間内でサービスコンフィギュレーション構成リクエスト信号がセンタ１の送／受信ユニット１０５により受信されたか否かがチェックされる。ＹＥＳの場合には、プログラムポイント４０５へ分岐し、ＮＯの場合はプログラムポイント４２０へ分岐する。
【００４３】
プログラムポイント４０５では、サービスコンフィギュレーション構成リクエスト信号の送り手に、本事例では第２端末装置４５に、センタ１から提供されるサービスの選択及び所属のサービスオプションが伝送される。
【００４４】
プログラムポイント４１０では、センタ１の制御部９５は、次のことをチェックする、即ち、センタ１の送／受信ユニット１０５がさらなる所定の時間内でサービスコンフィギュレーション構成信号を受信したか否かをチェックする。ＹＥＳの場合には、プログラムポイント４６０へ分岐し、ＮＯの場合はプログラム部分を離脱する。
【００４５】
プログラムポイント４６０ではサービスコンフィギュレーション構成信号と共に伝送されたユーザ識別子２５を用いて、センタ１の制御部９５により次のことがチェックされる、即ち、ユーザ識別子２５が、センタ１のメモリ１１０内に記憶されたユーザデータと一致するか否かがチェックされる。ＹＥＳの場合は、プログラムポイント４６５へ分岐する。ＮＯの場合は、プログラム部分を離脱する。従って、ユーザ識別子２５のチェックにより、サービス提供者ないしプロバイダのセンタ１にて、ユーザの権限をチェックできる。ユーザ権限が無い場合にはセンタ１と第２端末装置４５との間のデータ交換がセンタ１により中断される。
【００４６】
プログラムポイント４６５では、センタ１の制御部は、当該事例ではユーザにより第２端末装置４５にてコンフィギュレーション構成されたサービスの記憶をセンタ１のメモリ１１０内にて行わせ、このセンタ１のメモリ１１０内には、サービスコンフィギュレーション構成信号と共に伝送されたサービスオプションないしパラメータ、端末装置識別子２０及び／又はユーザ識別子２５を選択されたサービスに対応付けて格納される。センタ１の制御部９５は、当該のサービスに、１つのサービス識別子１５を対応付け、割当てこれを、同様に選択されたサービスに対応付けてセンタ１のメモリ１１０内に格納する。ユーザにより選ばれたサービスオプション及びパラメータの記憶のため、センタ１の送／受信ユニット１０５により受信されたサービスコンフィギュレーション構成データからサービスデータが導出され、このサービスデータは、当該サービスオプション及びパラメータを含むのである。サービスコンフィギュレーション構成データからサービスデータを導出する場合、サービスコンフィギュレーション構成データ内に含まれている情報内容も亦第１端末装置５の出力手段可能性について、及び／又は、第２端末装置４５にて設定された出力形態について考慮される。サービスオプション及びパラメータ並びに場合により出力手段可能性及び／又は−形態が、サービスデータの形態でセンタ１のメモリ１１０内に記憶される。それにひきつづいて、センタ１の制御部９５により、選択されたサービスに対応付けられたサービス識別子１５が、センタ１の送／受信ユニット１０５により第２端末装置４５へ送信される。プログラムポイント４６５の後プログラム部分を離脱する。
【００４７】
プログラムポイント４２０ではセンタ１の制御部９５は、次のことをチェックする、即ち、センタ１の送／受信ユニット１０５がさらなる所定の時間内でリクエスト信号を受信したか否かをチェックする。ＹＥＳの場合には、プログラムポイント４３０へ分岐し、ＮＯの場合はプログラムポイント４４０へ分岐する。
【００４８】
プログラムポイント４３０ではセンタ１の制御部９５は次のことをチェックする、即ち、リクエスト信号と共に伝送されたユーザ識別子が、センタ１のメモリ１１０内に記憶されたユーザデータと一致するか否かをチェックする。ＹＥＳの場合は、プログラムポイント４３５へ分岐し、ＮＯの場合はプログラム部分を離脱する。
【００４９】
プログラムポイント４３５ではセンタ１の制御部９５は、センタ１の送／受信ユニット１０５をして、サービス識別信号を、リクエスト信号を送信する第１端末装置５に、第１データネットワーク１０を介して伝送せしめ、ここで、サービス識別信号は、第１の端末装置５により利用可能なセンタ１のサービスのサービス識別子１５を包含する。センタ１から提供されるどのサービスを第１の端末装置が利用できるかの評価を、センタ１の制御部９５が、同様にリクエスト信号と共にセンタ１へ伝送された第１の端末装置５の端末装置識別子を用いて実施する。このことは当該の端末装置識別子がリクエスト信号と共にセンタ１へ伝送された場合に限り行われる。そうでない場合は、センタ１から第１端末装置５へ送信されるサービス識別信号は、センタ１から提供されるサービスを選択したもの、又はすべてのもののサービス識別子１５を含む。いずれにしろ、端末装置識別子２０の評価により、センタ１の制御部９５は、サービス識別信号を用いて、第１の端末装置５に次のようなサービスのみを提供し得る、即ち、端末装置識別子２０により表示された第１の端末装置５のタイプ及び性能規模にも依存して利用可能なサービスのみを提供し得る。プログラムポイント４３５の後プログラム部分を離脱する。
【００５０】
プログラムポイント４４０ではさらなる所定の時間内に作動化データ３０が受信されたか否かチェックされる。ＹＥＳの場合には、プログラムポイント４５０へ分岐し、ＮＯの場合には、プログラム部分を離脱する。
【００５１】
プログラムポイント４５０では、次のことがチェックされる、即ち、作動化データ３０と共にセンタ１へ伝送された第１端末装置５のユーザ識別子２５が、センタ１のメモリ１１０内に記憶されたユーザデータと一致するか否かがチェックされる。ＹＥＳの場合はプログラムポイント４５５へ分岐し、ＮＯの場合はプログラム部分を離脱する。
【００５２】
プログラムポイント４５５では、センタ１の制御部９５は、次のような１つのサービスを選択する、即ち、センタ１のメモリ１１０内で作動化データ３０と共に伝送されたサービス識別子１５に対応付けられた１つのサービスを選択する。相応のサービスデータが、呼出され、そして、作動化データ３０と共に伝送された端末装置識別子２０に依存して、第１端末装置５のタイプ及び性能規模に次のように適合化される、即ち、受信の際第１端末装置５により識別され、第１端末装置５にて選択されたサービスの実現のための機能をトリガするように適合化される。作動化データ３０により付加データ３５がセンタ１の送／受信ユニット１０５にて受信された場合、センタ１の制御部９５はサービスデータを付加的に付加データ３５を用いて準備処理でき、その結果第１端末装置５の状態及び／又は場所位置が選択されたサービスの実現の際考慮させる。その際センタ１の制御部９５は、センタ１の送／受信ユニット１０５をして、そのように準備処理されたサービスデータをセンタ１データネットワーク１０を介して第１端末装置５に送信せしめる。それにひきつづいて、プログラム部分を離脱する。
【００５３】
本発明の方法及び端末装置の幾つかの有利な発展形態が可能である。サービス識別子１５を、所属のサービスの繰返し利用のためメモリ７０内に記憶できる。更に次のように構成設計することもできる、即ち、ユーザが操作ユニット５５にて例えばアルファニューメリックキーボードを用いてサービス識別子１５の明示説明のためのテキストを入力し、そして、ユーザが操作ユニット５５にて入力命令により第１端末装置５のメモリ７０内でのテキストの記憶を行わせるように構成設計してもよい。テキストは、ユーザによりコンフィギュレーション構成されたサービスの繰返し利用の場合、当該のサービスの、所属のサービス識別子１５へ対応付をするのに有利である、それというのは、ユーザは、例えばコード語又はコード番号として構成されたサービス識別子１５の場合におけるより容易にテキストを結び付け、相関させ得るからである。所属のサービス識別子１５の説明のためのテキストを、サービス識別子信号と共にセンタ１から第１端末装置５へ、第１端末装置５のリクエスト信号に対する応答として伝送することもできる。先に第２端末装置４５を用いてセンタ１内にてコンフィギュレーション構成されたサービスの選択の際テキストを、例えば、メニュ表示を用いて第１端末装置５の出力ユニット６５にて表示でき、その結果ユーザにとって、操作ユニット５５にてそのようなサービスの選択のための特に簡単且つ時間を節減する手法が可能になり、このような特に簡単且つ時間を節減する手法により、相応の作動化データ３０を用いて、センタ１へ選択されたサービスの、テキストに所属するサービス識別子１５を送信できるようになる。サービス識別子１５の代りに、直接的に、所属のテキストをセンタ１へ伝送することもできる。その際センタ１のメモリ１１０内には、第２の端末装置４５を介してコンフィギュレーション構成された個々のサービスに対して、相応に対応するテキストを同様に記憶し、そしてセンタ１の制御部９５により、第１端末装置５からセンタ１に伝送されたテキストと比較し、その結果、そのようにして、センタ１にて、第１端末装置５にて選択されたサービスが求められ、所属のサービスデータが第１端末装置５への伝送のため、センタ１のメモリ１１０から呼出され得る。従って第１端末装置５のユーザにとって、操作ユニット５５でのサービス識別子１５の入力が省かれ、その結果ユーザは、選択されたサービスに所属するテキストを操作ユニット５５に入力するか又は、出力ユニット６５にてメニュ表示を用いて選択しさえすればよい。テキストによる、ユーザコンフィギュレーション構成されたサービスの見出し語、索引式記述付のリスト表の代りに、又は、それに付加的に、第１端末装置５のキー７５への、当該のサービスの対応付を行い得、それらのキー７５のうち図１には５つが示してあり、それらのキーは、例えば、殊に電話組込式のカーラジオのステーションキーとして構成され得る。キー７５上への所定のサービスの格納により、就中、ユーザに対する著しく頻繁に利用されるサービスの選択が容易化される。
【００５４】
第２端末装置４５による或１つのサービスのコンフィギュレーション構成の場合のような利点とするところは、第１データネットワーク１０に無関係にコンフィギュレーション構成を第２端末装置４５を介して行い得ることである。ここで第２端末装置４５にとって可及的に低廉コストの通信付きのデータネットワークを選択でき、その結果センタ１にてサービスのコンフィギュレーション構成の際のコストを節減でき、殊に次のような場合にコスト節減できる、即ち、第１データネットワーク１０を介する通信ひいては、第１端末装置５による、センタ１におけるこのサービスのコンフィギュレーション構成が高価である場合コスト節減できる。
【００５５】
更なる実施形態によれば、第２端末装置４５の機能性を付加的に、又は代替選択的に統合化でき、それにより、第２端末装置４５とセンタ１との間でのデータ交換のためのデータネットワークを使用しなくてもサービスコンフィギュレーション構成が可能になる。サービスコンフィギュレーション構成データを、第１端末装置５により利用可能なセンタ１から提供されるサービスの調整セッティングのためのパラメータと共に直接的に、センタ１にて第１端末装置５のユーザ識別子２５及び／又は端末装置識別子２０を以て入力できる。その際サービスコンフィギュレーション構成データから、センタ１にて、サービスデータが導出され、ユーザ識別子２５及び／又は端末装置識別子２０を以てセンタ１内に記憶される。或１つのサービス識別子１５は、サービスデータに対応付けられ、該サービスデータと共にセンタ１内に記憶される。センタ１は、当該の実施例において１つの端末装置の機能性を含み、従って、拡大された機能性を備えた１つの端末装置を形成する。
【図面の簡単な説明】
【００５６】
【図１】センタ、第１端末装置及び第２端末装置のブロック接続図。
【図２】ａ．〜ｃ．は夫々作動化データの構成例を示す図。
【図３】第２端末装置の制御に対するシーケンスチャートを示す図。
【図４】第１端末装置の制御に対するシーケンスチャートを示す図。
【図５】センタの制御に対するシーケンスチャートを示す図。
【符号の説明】
【００５７】
１  センタ、  ５  第１端末装置、  １０  データネットワーク、  １５  サービス識別子、  ２０  端末装置識別子、  ２５  ユーザ識別子、  ３０  作動化データ、  ３５  付加データ、  ４０  １つの共通の識別子、  ４５  第２端末装置、  ５５  操作ユニット、  ６０  送／受信装置、  ６１  受信データ、  ６５  出力ユニット
【図１】
2008211805.tif 000003
【図２】
2008211805.tif 000004
【図３】
2008211805.tif 000005
【図４】
2008211805.tif 000006
【図５】
2008211805.tif 000007